(57)【要約】      （修正有）【課題】面倒な調整作業を要することなくテンプルの開閉抵抗を略一定に持続させ得る眼鏡の蝶番装置及びそれに用いる環状保持部材を提供する。【解決手段】ヨロイ６を構成するＵ字状バネ片９の第１、第２の直線状部１０，１１間で蝶番部材１２を弾性的に挾持する。蝶番部材１２は、第１の挾持板１３を具える第１の蝶番片１５と、第２の挾持板１６を具える第２の蝶番片１７と、該第１、第２の挾持板間に面接触状態に介在される中間蝶番片１９とを具える。第１の蝶番片１５に設けられた収容孔５１にコイルバネ５２が収容され、コイルバネ５２が弾性圧縮状態とされ、この状態で前記第１の挾持板１３が前記中間蝶番片１９の表面に弾性圧接される。これにより、テンプル７の開閉抵抗が略一定に持続される。【選択図】図２
0003195749.tif 000002
【実用新案登録請求の範囲】
【請求項１】
眼鏡のレンズ部の外側部に設けられるヨロイにテンプルを開閉可能に枢着するための眼鏡の蝶番装置であって、
該ヨロイは、Ｕ字状に屈曲したＵ字状バネ片を具え、該Ｕ字状バネ片の、上下対向し且つ平行状態を呈する第１の直線状部と第２の直線状部との間で蝶番部材が弾性的に挾持されてなり、
該蝶番部材は、第１の挾持板を具える第１の蝶番片と、第２の挾持板を具える第２の蝶番片と、該第１、第２の挾持板間に面接触状態に介在される中間蝶番片とを具えており、該中間蝶番片は、前記テンプルの前端に設けられており、
該第１の蝶番片は、前記第１の直線状部を嵌め入れるための嵌合溝が前記第１の挾持板の外面に設けられると共に該第１の挾持板の内面に枢軸が突設されてなり、
又前記第２の蝶番片は、前記第２の直線状部を嵌め入れるための嵌合溝が前記第２の挾持板の外面に設けられると共に、その内面に、前記枢軸の先側部分を嵌め入れるための凹部が設けられており、
前記中間蝶番片は、前記枢軸を密接に挿通させ得る枢着孔が設けられ、該枢軸の軸線回りに回動可能となされており、
又前記第１の蝶番片には、前記嵌合溝の底部で開放され且つ前記枢軸の長さ方向に延長する有底の収容孔が設けられており、該収容孔にはコイルバネが収容されると共に、該コイルバネが自由状態において、該コイルバネの一端は該収容孔の底部で支持される一方、その他端側部分は該収容孔の開放端から突出する如くなされており、前記第１の直線状部と前記第２の直線状部とが夫々対応の前記嵌合溝に嵌め入れられた状態において該コイルバネの他端が該第１の直線状部によって前記底部に向けて押圧され、これによって該コイルバネが弾性圧縮状態を呈しており、この状態で、前記第１の蝶番片の前記内面の枢軸周辺部分が、前記中間蝶番片の一方の表面に、該コイルバネの付勢力と前記Ｕ字状バネ片の付勢力を受けて弾性的に圧接される一方、前記第２の蝶番片の前記内面の凹部周辺部分が前記中間蝶番片の他方の表面に、前記Ｕ字状バネ片の付勢力を受けて弾性的に圧接されていることを特徴とする眼鏡の蝶番装置。
【請求項２】
眼鏡のレンズ部の外側部に設けられるヨロイにテンプルを開閉可能に枢着するための眼鏡の蝶番装置であって、
該テンプルは、その先側部分に、Ｕ字状に屈曲したＵ字状バネ片を具え、該Ｕ字状バネ片の、上下対向し且つ平行状態を呈する第１の直線状部と第２の直線状部との間で蝶番部材が弾性的に挾持されてなり、
該蝶番部材は、第１の挾持板を具える第１の蝶番片と、第２の挾持板を具える第２の蝶番片と、該第１、第２の挾持板間に面接触状態に介在される中間蝶番片とを具えており、該中間蝶番片は、前記ヨロイの後端に設けられており、
該第１の蝶番片は、前記第１の直線状部を嵌め入れるための嵌合溝が前記第１の挾持板の外面に設けられると共に該第１の挾持板の内面に枢軸が突設されてなり、
又前記第２の蝶番片は、前記第２の直線状部を嵌め入れるための嵌合溝が前記第２の挾持板の外面に設けられると共に、その内面に、前記枢軸の先側部分を嵌め入れるための凹部が設けられており、
前記中間蝶番片は、前記枢軸を密接に挿通させ得る枢着孔が設けられ、該枢軸の軸線回りに回動可能となされており、
又前記第１の蝶番片には、前記嵌合溝の底部で開放され且つ前記枢軸の長さ方向に延長する有底の収容孔が設けられており、該収容孔にはコイルバネが収容されると共に、該コイルバネが自由状態において、該コイルバネの一端は該収容孔の底部で支持される一方、その他端側部分は該収容孔の開放端から突出する如くなされており、前記第１の直線状部と前記第２の直線状部とが夫々対応の前記嵌合溝に嵌め入れられた状態において該コイルバネの他端が該第１の直線状部によって前記底部に向けて押圧され、これによって該コイルバネが弾性圧縮状態を呈しており、この状態で、前記第１の蝶番片の前記内面の枢軸周辺部分が、前記中間蝶番片の一方の表面に、該コイルバネの付勢力と前記Ｕ字状バネ片の付勢力を受けて弾性的に圧接される一方、前記第２の蝶番片の前記内面の凹部周辺部分が前記中間蝶番片の他方の表面に、前記Ｕ字状バネ片の付勢力を受けて弾性的に圧接されていることを特徴とする眼鏡の蝶番装置。
【請求項３】
前記第１の直線状部に、前記コイルバネの前記他端側部分の先端部分を嵌め入れる係合窪み部が設けられると共に、前記第２の直線状部に、前記嵌合溝の底部に設けた第１の係合部と凹凸嵌合し得る第２の係合部が設けられていることを特徴とする請求項１又は２記載の眼鏡の蝶番装置。
【請求項４】
前記第１、第２の挾持板間に前記中間蝶番片が介在された状態で該第１、第２の挾持板の夫々に設けられている嵌合溝が平行状態を呈し得るように、前記枢軸の先側部分に、前記凹部の内周面に設けた第２の位置決め係合部と係合し得る第１の位置決め係合部を設けたことを特徴とする請求項１、２又は３記載の眼鏡の蝶番装置。
【請求項５】
前記第１の挟持板と前記第２の挟持板と前記中間蝶番片は、同径の円板状を呈しており、前記枢軸は該第１の挟持板の前記内面の中央部で突設され、又、前記第１の挟持板の前記外面に設ける前記嵌合溝は、該外面の中央部を通るように設けられ、前記第２の挟持板の前記外面に設ける前記嵌合溝は、該外面の中央部を通るように設けられることを特徴とする請求項１、２、３又は４記載の眼鏡の蝶番装置。
【請求項６】
請求項１〜５の何れかに記載の眼鏡の蝶番装置を構成するために用いられる環状保持部材であって、前記Ｕ字状バネ片の前記第１の直線状部の先端と前記第２の直線状部の先端相互が連結片で連結されていることを特徴とする眼鏡の蝶番装置構成用の環状保持部材。
【請求項７】
請求項１〜５の何れかに記載の眼鏡の蝶番装置を構成するために用いられる環状保持部材であって、前記Ｕ字状バネ片の前記第１の直線状部の先端に第１の延長部が突設されると共に、前記第２の直線状部の先端に第２の延長部が突設されており、該第１の延長部と該第２の延長部の先端相互が連結片で連結されていることを特徴とする眼鏡の蝶番装置構成用の環状保持部材。
【考案の詳細な説明】
【技術分野】
【０００１】
本考案は、眼鏡の蝶番装置に関するものであり、より詳しくは、蝶番ネジを枢軸として用いる従来の蝶番装置におけるような、蝶番ネジの所要の締め付け調整を何度も行わなければならない等の面倒な調整作業を要することなくテンプルの開閉抵抗を略一定に持続させることのできる眼鏡の蝶番装置に関するものであり、又、これを構成するために用いる環状保持部材に関するものである。
【背景技術】
【０００２】
眼鏡のレンズ部の外側部に設けられるヨロイにテンプルを連結し、該テンプルを該レンズ部に対して展開可能且つ折り畳み可能としてなる眼鏡の蝶番装置は、通常、該ヨロイの後端と該テンプルの前端に夫々ロウ付されてなる蝶番片を噛み合わせ且つ両者を、蝶番ネジを枢軸として用いて該蝶番ネジを所要に締め付け、これによって該テンプルを開閉可能としていた。この蝶番ネジの締め付けの調整は、テンプルの開閉抵抗（所謂アガキ）が一定に維持されるように調整されていた。
【０００３】
しかしながら、かかる構成の蝶番装置にあっては、テンプルの開閉回数が多くなるに従い、蝶番ネジの締め付け状態に緩みが発生してテンプルの開閉が甘くなった。そのため、その都度蝶番ネジの締め付け調整が不可欠であった。しかしながら、この蝶番ネジの締め付けが強いとテンプルの開閉抵抗が大きくなってテンプルの開閉が重くなる一方、この締め付けが弱いと蝶番ネジが容易に緩んでしまう事態を生じさせることになり、その調整作業は非常に面倒であった。しかも、この種の蝶番ネジは微小であったことから細かな調整作業を強いられた。その上、かかる調整作業を何度も行わなければならない煩わしさがあった。
【０００４】
そこで本出願人は、特許文献１において、図２０に示すような弾性挾持方式の蝶番装置を提案した。該蝶番装置ａは、テンプルｂの前側部分に設けた折り返し部ｂを有する挾持部分ｃが、ヨロイｄに設けた枢軸ｅを弾性的に挾持するように構成されていた。これによって、該挾持部分ｃが該枢軸ｅを弾性的に挾持した状態となり、これによりテンプルｂは一定の開閉抵抗で開閉可能であった。
【０００５】
しかしながら、かかる蝶番装置ａによるときも、折り返しによって形成された前記挾持部分ｃによる枢軸ｅの弾性的な挾持状態は、当初は適切に発揮されていても、そのうちに、該弾性が徐々に劣化してテンプルｂの開閉が甘くなり易く、従ってテンプルの開閉抵抗の持続性に問題があった。
【先行技術文献】
【特許文献】
【０００６】
【特許文献１】特開２００１−２４９３０８号公報
【考案の概要】
【考案が解決しようとする課題】
【０００７】
本考案は、主として、蝶番ネジを枢軸とする従来の蝶番装置における前記問題点に鑑み、該蝶番ネジの緩みに煩わされることなくテンプルの開閉抵抗を長期間に亘って略一定に持続させることのできる眼鏡の蝶番装置の提供を課題とするものである。
【課題を解決するための手段】
【０００８】
前記課題を解決するため本考案は以下の手段を採用する。
即ち本考案に係る眼鏡の蝶番装置（蝶番装置ともいう）は、眼鏡のレンズ部の外側部に設けられるヨロイにテンプルを開閉可能に枢着するための眼鏡の蝶番装置であって、該ヨロイは、Ｕ字状に屈曲したＵ字状バネ片を具え、該Ｕ字状バネ片の、上下対向し且つ平行状態を呈する第１の直線状部と第２の直線状部との間で蝶番部材が弾性的に挾持されてなり、該蝶番部材は、第１の挾持板を具える第１の蝶番片と、第２の挾持板を具える第２の蝶番片と、該第１、第２の挾持板間に面接触状態に介在される中間蝶番片とを具えており、該中間蝶番片は、前記テンプルの前端に設けられている。該第１の蝶番片は、前記第１の直線状部を嵌め入れるための嵌合溝が前記第１の挾持板の外面に設けられると共に該第１の挾持板の内面に枢軸が突設されてなり、又前記第２の蝶番片は、前記第２の直線状部を嵌め入れるための嵌合溝が前記第２の挾持板の外面に設けられると共に、その内面に、前記枢軸の先側部分を嵌め入れるための凹部が設けられており、前記中間蝶番片は、前記枢軸を密接に挿通させ得る枢着孔が設けられ、該枢軸の軸線回りに回動可能となされている。又前記第１の蝶番片には、前記嵌合溝の底部で開放され且つ前記枢軸の長さ方向に延長する有底の収容孔が設けられており、該収容孔にはコイルバネが収容されると共に、該コイルバネが自由状態において、該コイルバネの一端は該収容孔の底部で支持される一方、その他端側部分は該収容孔の開放端から突出する如くなされており、前記第１の直線状部と前記第２の直線状部とが夫々対応の前記嵌合溝に嵌め入れられた状態において該コイルバネの他端が該第１の直線状部によって前記底部に向けて押圧され、これによって該コイルバネが弾性圧縮状態を呈しており、この状態で、前記第１の蝶番片の前記内面の枢軸周辺部分が、前記中間蝶番片の一方の表面に、該コイルバネの付勢力と前記Ｕ字状バネ片の付勢力を受けて弾性的に圧接される一方、前記第２の蝶番片の前記内面の凹部周辺部分が前記中間蝶番片の他方の表面に、前記Ｕ字状バネ片の付勢力を受けて弾性的に圧接されていることを特徴とするものである。
【０００９】
又、本考案に係る眼鏡の蝶番装置の他の態様は、眼鏡のレンズ部の外側部に設けられるヨロイにテンプルを開閉可能に枢着するための眼鏡の蝶番装置であって、該テンプルは、その先側部分に、Ｕ字状に屈曲したＵ字状バネ片を具え、該Ｕ字状バネ片の、上下対向し且つ平行状態を呈する第１の直線状部と第２の直線状部との間で蝶番部材が弾性的に挾持されてなり、該蝶番部材は、第１の挾持板を具える第１の蝶番片と、第２の挾持板を具える第２の蝶番片と、該第１、第２の挾持板間に面接触状態に介在される中間蝶番片とを具えており、該中間蝶番片は、前記ヨロイの後端に設けられている。該第１の蝶番片は、前記第１の直線状部を嵌め入れるための嵌合溝が前記第１の挾持板の外面に設けられると共に該第１の挾持板の内面に枢軸が突設されてなり、又前記第２の蝶番片は、前記第２の直線状部を嵌め入れるための嵌合溝が前記第２の挾持板の外面に設けられると共に、その内面に、前記枢軸の先側部分を嵌め入れるための凹部が設けられており、前記中間蝶番片は、前記枢軸を密接に挿通させ得る枢着孔が設けられ、該枢軸の軸線回りに回動可能となされている。又前記第１の蝶番片には、前記嵌合溝の底部で開放され且つ前記枢軸の長さ方向に延長する有底の収容孔が設けられており、該収容孔にはコイルバネが収容されると共に、該コイルバネが自由状態において、該コイルバネの一端は該収容孔の底部で支持される一方、その他端側部分は該収容孔の開放端から突出する如くなされており、前記第１の直線状部と前記第２の直線状部とが夫々対応の前記嵌合溝に嵌め入れられた状態において該コイルバネの他端が該第１の直線状部によって前記底部に向けて押圧され、これによって該コイルバネが弾性圧縮状態を呈しており、この状態で、前記第１の蝶番片の前記内面の枢軸周辺部分が、前記中間蝶番片の一方の表面に、該コイルバネの付勢力と前記Ｕ字状バネ片の付勢力を受けて弾性的に圧接される一方、前記第２の蝶番片の前記内面の凹部周辺部分が前記中間蝶番片の他方の表面に、前記Ｕ字状バネ片の付勢力を受けて弾性的に圧接されていることを特徴とするものである。
【００１０】
前記の各眼鏡の蝶番装置において、前記第１の直線状部に、前記コイルバネの前記他端側部分の先端部分を嵌め入れる係合窪み部を設けると共に、前記第２の直線状部に、前記嵌合溝の底部に設けた第１の係合部と凹凸嵌合し得る第２の係合部を設けるのがよい。
【００１１】
これらの眼鏡の蝶番装置において、前記第１、第２の挾持板間に前記中間蝶番片が介在された状態で該第１、第２の挾持板の夫々に設けられている嵌合溝が平行状態を呈し得るように、前記枢軸の先側部分に、前記凹部の内周面に設けた第２の位置決め係合部と係合し得る第１の位置決め係合部を設けるのがよい。
【００１２】
これらの眼鏡の蝶番装置において、前記第１の挟持板と前記第２の挟持板と前記中間蝶番片は、同径の円板状を呈したものとし、前記枢軸は該第１の挟持板の前記内面の中央部で突設し、又、前記第１の挟持板の前記外面に設ける前記嵌合溝は、該外面の中央部を通るように設け、前記第２の挟持板の前記外面に設ける嵌合溝は、該外面の中央部を通るように設けるのがよい。
【００１３】
本考案に係る眼鏡の蝶番装置構成用の環状保持部材は、前記Ｕ字状バネ片の前記第１の直線状部の先端と前記第２の直線状部の先端相互が連結片で連結されていることを特徴とするものである。
【００１４】
又、本考案に係る眼鏡の蝶番装置構成用の環状保持部材の他の態様は、前記Ｕ字状バネ片の前記第１の直線状部の先端に第１の延長部が突設されると共に、前記第２の直線状部の先端に第２の延長部が突設されており、該第１の延長部と該第２の延長部の先端相互が連結片で連結されていることを特徴とするものである。
【考案の効果】
【００１５】
本考案は、ヨロイ又はテンプルを構成するＵ字状バネ片の、上下対向し且つ平行状態を呈する第１、第２の直線状部間で蝶番部材が弾性的に挾持されてなり、該蝶番部材は、第１の挾持板を具える第１の蝶番片と、第２の挾持板を具える第２の蝶番片と、該第１、第２の挾持板間に面接触状態に介在される中間蝶番片とを具えている。又該第１、第２の挾持板はその外面に、前記第１、第２の直線状部を嵌め入れる嵌合溝を有し、該第１の挾持板の内面に突設された枢軸は前記中間蝶番片に設けた枢着孔を挿通し且つその先側部分が、前記第２の挾持板の内面に設けた凹部に嵌め入れられる如くなされている。そして前記第１の蝶番片には、前記嵌合溝の底部で開放され且つ前記枢軸の長さ方向に延長する有底の収容孔が設けられ該収容孔にはコイルバネが収容され、該コイルバネは前記第１の直線状部が前記嵌合溝に嵌め入れられることにより弾性圧縮状態とされ、この状態で前記第１の挾持板の枢軸周辺部分が前記中間蝶番片の一方の表面に弾性圧接される如くなされている。
【００１６】
これにより本考案は、以下の如き優れた効果を奏する。
(1) 本考案に係る眼鏡の蝶番装置は、前記Ｕ字状バネ片による前記蝶番部材の弾性挾持と、内蔵された前記コイルバネの付勢力によって、蝶番ネジを枢軸とする従来の蝶番装置との関係では、該蝶番ネジの面倒な調整作業を要することなく、又、枢軸を弾性挾持する蝶番装置との関係ではその弾性劣化によってテンプルの開閉が甘くなる問題を発生させることなく、テンプルの開閉抵抗を長期間に亘って略一定に持続させることができる。
【００１７】
(2) 又本考案に係る蝶番装置は前記第１、第２の直線状部を嵌め入れるための嵌合溝を第１、第２の蝶番片に設けているため、該第１、第２の直線状部を対応の嵌合溝に嵌め入れた状態にして、前記蝶番部材を前記Ｕ字状バネ片の基部側に向けて押し込めば、該蝶番部材を前記Ｕ字状バネ片に所要に装着でき、蝶番装置を容易に組み立てることができる。
【００１８】
(3) 前記Ｕ字状バネ片を構成する前記第１の直線状部に前記コイルバネの先端部分を嵌め入れる係合窪み部を設け、又は、前記第２の直線状部に前記蝶番部材に設けた第１の係合部と凹凸嵌合し得る第２の係合部を設け、或いはこれらの双方を設ければ、前記Ｕ字状バネ片に対する前記蝶番部材の押し込み量が分かり易く、又、該第１、第２の係合部の凹凸嵌合によって、該蝶番部材を該Ｕ字状バネ片に、より安定的に装着でき、しかも、前記蝶番部材が前記Ｕ字状バネ片から外れる恐れを確実に防止できることとなる。
【００１９】
(4) 前記蝶番部材を構成するに際して、前記第１の蝶番片に突設した枢軸を前記中間蝶番片に設けた枢着孔に挿通し該枢軸の先側部分を前記第２の蝶番片の内面に設けた前記凹部に嵌め入れ、そのときに、前記第１の位置決め係合部と前記第２の位置決め係合部とを係合させる場合は、前記第１、第２の挾持板間に前記中間蝶番片が介在された状態で該第１、第２の挾持板の夫々に設けられている嵌合溝を平行状態となし得る。
【００２０】
これによって、前記第１、第２の直線状部を対応の嵌合溝に嵌め入れ該蝶番部材を前記Ｕ字状バネ片の基部側に向けて押し込めば、該蝶番部材を該Ｕ字状バネ片に装着する作業を能率的に行うことができる。
【００２１】
(5) 例えば金属素材からなる板材を打ち抜いて形成した環状保持部材の一部分として前記Ｕ字状バネ片を構成した場合は、該環状保持部材のバリ取りのためにこれにバレル研摩加工を施す際、この研摩加工の最中にＵ字状バネ片が拡開したり縮小する恐れを確実に防止できる。該環状保持部材は環状を呈するために、その形状が変化しにくいからである。
【００２２】
特に該Ｕ字状バネ片の前記第１の直線状部の先端に第１の延長部を突設すると共に、前記第２の直線状部の先端に第２の延長部を突設し、該第１、第２の延長部の先端相互を連結片で連結する構成を採用する場合は、該連結片を切り離した後において前記第１、第２の延長部を適宜屈曲させることにより、この屈曲変形によって眼鏡側部のデザインを変化させることができる。
【図面の簡単な説明】
【００２３】
【図１】本考案に係る蝶番装置を示す斜視図である。
【図２】その断面図である。
【図３】蝶番部材を分解して示す斜視図である。
【図４】蝶番部材を分解して示す斜視図である。
【図５】第１の蝶番片の枢軸の先側部分が第２の蝶番片の凹部に嵌め入れられた状態を示す断面図である。
【図６】蝶番部材を示す斜視図である。
【図７】テンプルの開閉状態を示す平面図である。
【図８】第１の蝶番片を示す断面図と、該第１の蝶番片の収容孔にコイルバネを収容した状態を示す断面図である。
【図９】比較例に係る蝶番装置の問題点を説明する断面図である。
【図１０】環状保持部材を示す斜視図である。
【図１１】第１、第２の蝶番片との間で中間蝶番片を挾持した状態を示す断面図と、第１の蝶番片の収容孔にコイルバネを収容して構成された蝶番部材を示す断面図である。
【図１２】蝶番部材をＵ字状バネ片に装着する工程を示す断面図と、該蝶番部材をＵ字状バネ片に所要に装着した状態を示す断面図である。
【図１３】蝶番部材をＵ字状バネ片に装着した状態における第１、第２の係合部材の凹凸嵌合の他の態様を示す断面図である。
【図１４】蝶番部材をＵ字状バネ片に装着した状態における第１、第２の係合部材の凹凸嵌合のその他の態様を示す断面図である。
【図１５】Ｕ字状バネ片の他の態様を示す斜視図である。
【図１６】Ｕ字状バネ片が先側部分に設けられてなるテンプルを示す斜視図と、これを用いて構成された蝶番装置を示す斜視図である。
【図１７】後方に向けて開放するＵ字状バネ片を具えるヨロイと、これを用いて構成された蝶番装置を示す斜視図と、その蝶番装置におけるテンプルの開き状態の規制作用を説明する断面図である。
【図１８】ヨロイが具えるＵ字状バネ片のＵ字の開放端が前方に向けて開放し、第２の延長部のみが前記レンズ部の外側部にロウ付けされてなる蝶番装置を示す斜視図である。
【図１９】後方向に向けて先端部が開放するＵ字状バネ片を具えるテンプルと、これを用いて構成された蝶番装置を示す斜視図である。
【図２０】折り返しによって形成された挾持部分による枢軸の弾性挾持の問題点を説明する説明図である。
【考案を実施するための形態】
【実施例１】
【００２４】
図１〜４において本考案に係る眼鏡の蝶番装置１は、眼鏡２のレンズ部３の外側部５に設けられるヨロイ６にテンプル７を開閉可能に枢着するために用いられるものであって、該ヨロイ６は、Ｕ字状に屈曲したＵ字状バネ片９を具え、該Ｕ字状バネ片９の、上下対向し且つ平行状態を呈する第１の直線状部１０と第２の直線状部１１との間で蝶番部材１２が弾性的に挾持されている。
【００２５】
該蝶番部材１２は、本実施例においては、径が５ｍｍ程度で厚さが４．１６ｍｍ程度の円柱状を呈しており、径が５ｍｍ程度で厚さが１．７０ｍｍ程度の円板状を呈する第１の挾持板１３を具える第１の蝶番片１５と、径が５ｍｍ程度で厚さが１．７０ｍｍ程度の円板状を呈する第２の挾持板１６を具える第２の蝶番片１７と、該第１、第２の挾持板１３，１６間に面接触状態に介在される、径が５ｍｍ程度で厚さが０．７６ｍｍ程度の円板状を呈し且つ中央部に円形状の枢着孔１８が設けられてなる中間蝶番片１９とを具えている。該中間蝶番片１９は、本実施例においては図３に示すように、前記テンプル７の前端に一体に設けられている。
【００２６】
前記第１の蝶番片１５は図２〜４に示すように、円板状を呈する前記第１の挾持板１３の外面２０に、前記第１の直線状部１０を嵌め入れるための直線状の嵌合溝２１が該外面２０の中央部を通るように設けられると共に、該第１の挾持板１３の内面２２の中央部において、円柱状の枢軸２３が突設されている。該枢軸２３の径は３ｍｍ程度に設定されている。そして該枢軸２３の前記内面２２側に存する基部側部分２５は円柱状に構成されており、円柱状の該基部側部分２５が、図２に示すように、前記中間蝶番片１９の円形状の前記枢着孔１８に密接な挿通状態となる。又図３に示すように、該枢軸２３の先側部分２６はその対向側が、平坦面２７ａ，２７ａからなる第１の位置決め係合部２７，２７とされている。
【００２７】
前記第２の蝶番片１７は図２〜４に示すように、円板状を呈する前記第２の挾持板１６の外面２９に、前記第２の直線状部１１を嵌め入れるための直線状の嵌合溝３０が該外面２９の中央部を通るように設けられると共に、該第２の挾持板１６の内面３１の中央部に、前記枢軸２３の先側部分２６を嵌め入れるための凹部３２が設けられている。該凹部３２の内周面３３には、前記平坦面２７ａ，２７ａと当接し得る平坦面３５ａ，３５ａからなる第２の位置決め係合部３５，３５が設けられている。
【００２８】
そして図５に示すように、前記枢着孔１８を挿通した前記枢軸２３の前記平坦面２７ａ，２７ａと前記凹部３２側の平坦面３５ａ，３５ａとを当接させるように前記枢軸２３の先側部分２６を前記凹部３２に嵌め入れることにより、図２、図６に示すように、前記第１の挾持板１３の外面２０に設けられている直線状の前記嵌合溝２１と前記第２の挾持板１６の外面２９に設けられている直線状の前記嵌合溝３０とが平行するようになされている。そして図２に示すように、該枢軸２３の先側部分２６を前記凹部３２に嵌め入れた状態で、該枢軸２３の先端面３６と前記凹部３２の底面３７との間に若干の間隙３９が形成されるようになされている。
【００２９】
前記中間蝶番片１９は、図２〜３、図６に示すように、前記枢軸２３の基部側部分２５が前記枢着孔１８に密接に挿通した状態で、前記第１、第２の挟持板１３，１６で挾持されている。そして、該第１の挾持板１３の前記内面２２の前記枢軸２３の周辺部分（枢軸周辺部分）４０（図２〜３）が該中間蝶番片１９の一方の表面４１（図２、図４）に当接した状態にあり、且つ、前記第２の挾持板１６の前記凹部３２の周辺部分（凹部周辺部分）４２（図２、図４）が該中間蝶番片１９の他方の表面４３に当接した状態にある。該中間蝶番片１９が、このように前記第１、第２の挾持板１３，１６間に面接触状態に介在されており、且つ該中間蝶番片１９が前記枢軸２３の軸線回りに回動できるため、前記テンプル７は図７に示すように開閉可能である。
【００３０】
又本実施例においては図２〜３に示すように、前記第２の挾持板１６の直線状を呈する前記嵌合溝２１の底部４５の長さ方向の中央部において第１の係合部４６が設けられている。そして該第１の係合部４６は、図２に示すように、前記第２の直線状部１１の内側面４９に設けられている第２の係合部５０と凹凸嵌合し得る。
【００３１】
本実施例においては、該第１の係合部４６は、前記嵌合溝２１の底部４５を破って前記凹部３２に連通する状態に設けられた係合孔部４６ａとして形成されている。そして図２に示すように、該係合孔部４６ａには、前記第２の直線状部１１の内側面４９で突設されている係合突部（例えば０．１ｍｍ程度の突出量を有する）５０ａとしての前記第２の係合部５０（図２、図１０）が嵌まり合うようになされている。
【００３２】
前記枢軸２３には、図８（Ａ）に示すように、その軸線方向に延長する有底の収容孔５１が設けられている。そして図８（Ｂ）に示すように、該収容孔５１にはコイルバネ５２が収容されると共に、該コイルバネ５２が自由状態において、該コイルバネ５２の一端５３は該収容孔５１の底部５５で支持される一方、その他端側部分５６は該収容孔５１の開放端５７から突出する如くなされている。本実施例においては、該収容孔５１の内径は例えば１．４８ｍｍ程度に設定されると共に、該コイルバネ５２の外径は例えば１．３８ｍｍ程度に設定されている。
【００３３】
そして、前記第１の直線状部１０と前記第２の直線状部１１が対応の前記嵌合溝２１，３０に嵌め入れられた状態においては、図２に示すように、該コイルバネ５２の他端５９が前記底部５５に向けて押圧されて該コイルバネ５２が弾性圧縮状態を呈する。本実施例においては、該コイルバネ５２の前記他端側部分５６の先端部分６０を嵌め入れるための係合窪み部（例えば０．１ｍｍ程度の深さを有する）６１（図２、図１０）が前記第１の直線状部１０の内側面６２に設けられている。
【００３４】
この状態で、図２に示すように、前記第１の蝶番片１５の前記枢軸周辺部分４０が前記中間蝶番片１９の一方の表面４１に、該コイルバネ５２の付勢力と前記Ｕ字状バネ片９の付勢力を同時に受けて弾性的に圧接される一方、前記第２の蝶番片１７の前記凹部周辺部分４２が前記中間蝶番片１９の他方の表面４３に、前記Ｕ字状バネ片９の付勢力を受けて弾性的に圧接されている。然して前記テンプル７は、該付勢力に起因する摩擦作用によって略一定の開閉抵抗を受けて円滑に開閉でき、これを持続できる。
【００３５】
この開閉抵抗の持続について、図９に示す比較例との関係でより詳しく説明する。該比較例としての蝶番装置１ａは、前記実施例に係る蝶番装置１において前記コイルバネ５２が省略された構成のものである。該蝶番装置１ａによるときは、前記Ｕ字状バネ片９の弾性挾持力によって、前記第１の挾持板１３と前記第２の挾持板１６間に前記中間蝶番片１９が面接触状態に介在されており、該Ｕ字状バネ片９の付勢力を受けて該第１の挾持板１３の前記枢軸周辺部分４０が前記中間蝶番片１９の一方の表面４１に弾性的に圧接されると共に、前記第２の挾持板１６の前記凹部周辺部分４２が前記中間蝶番片１９の他方の表面４３に弾性的に圧接されている。
【００３６】
かかる蝶番装置１ａによるときは、第１、第２の挾持板１３，１６の前記中間蝶番片１９に対する弾性圧接作用が有効に発揮されている間は、前記テンプル７は略一定の開閉抵抗を受けて円滑に開閉できる。しかしながら該Ｕ字状バネ片９の付勢力は徐々に劣化するのは避けられず、当初は十分であった付勢力が低下する結果、前記テンプル７の開閉抵抗が甘くなる。このことから、前記Ｕ字状バネ片９の弾性挾持作用だけではテンプル７の開閉抵抗を略一定に持続させることができないのが分かる。
【００３７】
これに対して本実施例に係る蝶番装置１によるときは、図２に示すように、前記Ｕ字状バネ片９の付勢力に加えて前記コイルバネ５２の付勢力が加わっているため、前記Ｕ字状バネ片９の弾性挾持作用が劣化したとしても、該コイルバネ５２の付勢力によって前記第１の挾持板１３の前記枢軸周辺部分４０が前記中間蝶番片１９の一方の表面４１を弾性的に圧接した状態にある。これより、テンプル７の開閉抵抗がその後も略一定に持続されることとなるのである。
【００３８】
又、眼鏡を長年使用している内に前記中間蝶番片１９と前記第１、第２の挾持板１３，１６との接触面に摩耗が生じたとしても、前記コイルバネ５２の付勢力によって、前記第１の挾持板１３の前記枢軸周辺部分４０が前記中間蝶番片１９の前記一方の表面４１に常に弾性的に圧接されているので、この場合も、テンプル７の開閉抵抗を長期間に亘って略一定に持続させることができる。
【００３９】
ここで、前記実施例に係る蝶番装置１の組み立て要領を説明する。図１０は、弾力性を有し且つ強度に優れる金属素材（例えばベ−タ−チタン）からなる板材を打ち抜いて形成された、Ｕ字状バネ片９を具備する環状保持部材６３を示す。該環状保持部材６３は、Ｕ字状に屈曲したＵ字状バネ片９の前記第１の直線状部１０の先端６５に第１の延長部６６が突設されると共に、前記第２の直線状部１１の先端６７に第２の延長部６９が突設されてなる。本実施例においては、該第１の延長部６６は、先側に向けて且つ外方に円弧状に湾曲する湾曲延長部６６ａとして構成され、又前記第２の延長部６９は、先側に向けて且つ外方に直線状に延長する直線状延長部６９ａとして構成されており、該湾曲延長部６６の先端７０と該直線状延長部６９の先端７１とが例えばＬ字状を呈する連結片７２で一体に連結されている。
【００４０】
該環状保持部材６３は金属素材からなる板材を打ち抜いて形成されているため、バリ取りが必要となる。そこで、このバリ取りのために該環状保持部材６３にバレル研摩加工を施すのであるが、該環状保持部材６３は、前記湾曲延長部６６ａの先端７０と前記直線状延長部６９ａの先端７１とが例えばＬ字状を呈する連結片７２で一体に連結されていて全体として環状を呈するために、前記Ｕ字状バネ片９の前記第１、第２の直線状部１０，１１間の間隔Ｌが拡開したり縮小する恐れを確実に防止できる。該間隔Ｌは、該Ｕ字状バネ片９の付勢力の大きさを決定する重要な要素であるが、前記連結片７２は、前記バレル研摩加工時において該間隔Ｌを一定に保持させる。
【００４１】
かかる構成を有する環状のヨロイ構成部材６３の前記Ｕ字状バネ片９に前記蝶番部材１２を装着するに際しては、図１１（Ａ）に示すように、前記第１の蝶番片１５の前記枢軸２３を前記中間蝶番片１９の前記枢着孔１８に挿通させ且つ該枢軸２３の先側部分６０を前記第２の蝶番片１７の前記凹部３２に嵌め入れる。この嵌め入れの際、図５に示すように、前記枢軸２３の平坦面２７ａ，２７ａが前記凹部３２の平坦面３５ａ，３５ａと当接するように位置決めすることにより、図６、図２に示すように、前記第１、第２の蝶番片１５，１７に設けられている前記嵌合溝２１，３０は平行状態を呈したものとなる。そして、前記収容孔５１にコイルバネ５２を収容してその一端５３を該収容孔５１の底部５５で支持させると、該コイルバネ５２が自由状態において、図１１（Ｂ）に示すように、該コイルバネ５２の他端側部分５６が該収容孔５１の開放端５７から突出状態となる。例えば０．３ｍｍ程度突出する。
【００４２】
その後、このように組み立てられた円柱状体（前記蝶番部材１２）７３を、前記第１、第２の直線状部１０，１１を弾性的に拡開させながら両者間に介装させるのであるが、図１２（Ａ）に示すように、前記第１、第２の直線状部１０，１１と前記嵌合溝２１，３０とを位置合わせし、該蝶番部材１２を前記Ｕ字状バネ片９の基部側７５に向けて押し込む。これにより、図１２（Ｂ）に示すように、該Ｕ字状バネ片９の付勢力によって、第１の直線状部１０が、前記第１の挟持板１３に設けられている前記嵌合溝２１に弾性的に嵌め入れられた状態となり、且つ前記第２の直線状部１１が、前記第２の挟持板１６に設けられている前記嵌合溝３０に弾性的に嵌め入れられた状態となる。そして、前記第２の直線状部１１の内側面４９に設けられている前記係合突部５０ａが前記係合孔部４６ａに嵌まり合うと共に、前記コイルバネ５２の他端側部分５６の先端部分６０が前記係合窪み部６１に嵌まり合い、該Ｕ字状バネ片９に対する円柱状の蝶番部材１２の押し込みが完了する。このように蝶番部材１２を押し込む際、前記係合突部５０ａと前記係合窪み部６１は、該蝶番部材１２の押し込み量を規制する機能を果たす。
【００４３】
そして、前記係合突部５０ａと前記係合孔部４６ａとが嵌まり合った状態にあり、且つ前記コイルバネ５２の前記先端部分６０が前記係合窪み部６１に嵌まり合った状態にあるため、前記蝶番部材１２は、かかる嵌まり合いによる抜け止め作用によって、前記Ｕ字状バネ片９の長さ方向で移動する恐れがない。従って、該蝶番部材１２がＵ字状バネ片９から外れる恐れがない。そして該先端部分６０が該係合窪み部６１に嵌まり合うことによって、前記収容孔５１の径が比較的大きくても、該コイルバネ５２のふらつきが防止される。
【００４４】
この状態で、図２、図１２（Ｂ）に示すように、前記コイルバネ５２の他端５９が該第１の直線状部１０によって前記底部５５に向けて押圧され、該コイルバネ５２が弾性圧縮状態を呈する。この状態で、図２に示すように、前記第１の蝶番片１５の前記枢軸周辺部分４０が、前記中間蝶番片１９の一方の表面４１に、前記Ｕ字状バネ片９の付勢力と該コイルバネ５２の付勢力を同時に受けて弾性的に圧接される。
【００４５】
このようにＵ字状バネ片９に蝶番部材１２を装着した後、前記連結片７２が切り離される。この後、図１に示すように、前記湾曲延長部６６ａ、前記直線状延長部６９ａが適宜屈曲されてその両先側部分７６，７７が、レンズ部３の外側部分５（本実施例においては、レンズ７９の上側部分に装着されているリム片８０の外側部分）にロウ付けされることによって眼鏡２が構成される。該両先側部分７６，７７の該外側部分５に対するロウ付け位置は、前記Ｕ字状バネ片９の前記第１、第２の直線状部１０，１１間の間隔Ｌが、前記連結片７２を切り離す前におけると略程度となるように設定される。このように該先側部分７６，７７がリム片８０にロウ付けされると、前記Ｕ字状バネ片９の拡開が該外側部分５によって規制されるため、該Ｕ字状バネ片９の付勢力が安定的に持続される。そして該眼鏡２においては、図７（Ａ）に示すように、該テンプル７の開き状態が、前記Ｕ字状バネ片９の基部側７５に当接して規制される。
【００４６】
そして前記テンプル７を開閉する際、前記第１、第２の直線状部１０，１１が前記嵌合溝２１，３０に嵌まり合った状態にあるため、該第１、第２の蝶番片１５，１７が回り止めされた状態で前記中間蝶番片１９の回動が円滑に行われる。この回動に伴う前記テンプル７の開閉は、前記コイルバネ５２の付勢力と前記Ｕ字状バネ片９の付勢力が該中間蝶番片１９の一方の表面４１に作用し且つ前記Ｕ字状バネ片９の付勢力が該中間蝶番片１９の他方の表面４３に作用し、これらの付勢力に起因する摩擦力によって、所要の開閉抵抗が長期間に亘って略一定に保たれた状態で行われることとなる。
【００４７】
なお本実施例においては、前記枢軸２３を具える第１の蝶番片１５を前記Ｕ字状バネ片１０の下側に配置させているため、図２に示すように、前記収容孔５１の開放端５７が下向き状態になる。従って、前記第１の直線状部１０を前記嵌合溝２１に嵌め入れた状態において該開放端５７（図４）が該第１の直線状部１０で完全に塞がれない場合であっても、該開放端５７が下向きであるために該収容孔５１の内部に埃が入りにくく、又図１に示す如く、眼鏡着用状態において該開放端５７が目視されないために眼鏡の外観が損われない。
【実施例２】
【００４８】
本考案は、前記実施例で示したものに限定されるものでは決してなく、「実用新案登録の範囲」の記載内で種々の設計変更が可能であることはいうまでもない。その一例を挙げれば次のようである。
【００４９】
(1) 前記実施例１においては、枢軸２３を具える第１の蝶番片１５を下側に位置させると共に、凹部３２を具える第２の蝶番片１７を上側に位置させているが、これは逆の態様であってもよい。
【００５０】
(2) 前記実施例１においては、前記第１の直線状部１０に係合窪み部６１を設けると共に前記第２の直線状部１１に係合突部５０ａを設けているが、前記蝶番部材１２の組み立て作業性にそれほど支障がなく、該第１、第２の直線状部１０，１１間で弾性的に挾持されている蝶番部材１２の抜け止めが図られるならば、該窪み部６１や該係合突部５０ａが設けられない場合もある。設けるとしても、何れか一方のみを設けることもある。
【００５１】
(3) 前記第２の挾持板１６の前記嵌合溝２１の底部４５に設けられる前記第１の係合部４６は、前記した孔部として構成される他、該底部４５を凹ませて設けられた係合凹部として構成されてもよい。或いは図１３に示すように、該第１の係合部４６を、該底部４５に設けられた係合突部４６ｂとして構成すると共に、前記第２の直線状部１０の内側面４９に、該係合突部４６ｂと凹凸嵌合し得る、前記第２の係合部５０としての係合凹部５０ｂを設ける構成としてもよい。
【００５２】
(4) 前記枢軸２３に設ける前記第１の位置決め係合部２７は、前記した平坦面２７ａ，２７ａとして構成されることの他、前記凹部３２の内周面３３に設けた係合凹部や係合突出部としての前記第２の位置決め係合部３５と嵌め合わせられる係合突出部や係合凹部を以て構成されることもある。そして該第１の位置決め係合部２７（例えば前記平坦面２７ａ）は、前記枢軸２３の先側部分の両側ではなく一側（片側）にのみ設けられることもある。
【００５３】
(5) 前記第１の直線状部１０の内側面に設けた前記係合窪み部６１や、前記第２の直線状部１１の内側面に設けた前記係合突部５０ａに代えて、例えば図１４に示すように、前記蝶番部材１２を該第１、第２の直線状部１０，１１の長さ方向の両側で挟む突部８２，８２、８２，８２として構成されてもよい。
【００５４】
(6) 前記ヨロイ６は、前記連結片７２を切り離すことなく、前記環状保持部材６３そのものを以て構成することもできる。
【００５５】
(7) 前記環状保持部材６３は、前記Ｕ字状バネ片９を具え該Ｕ字状バネ片の開放端側に、前記蝶番部材１２を装着するためのスペースが確保されているならば、その環状の形態は各種に設定できる。前記第１、第２の直線状部１０，１１の端部相互が前記連結片７２で連結されてもよい。特に、例えば図１０に示すように、前記第１、第２の延長部６６，６９の先端７０，７１が連結片７２で連結される場合は、該連結片７２を切り離した後において前記第１、第２の延長部６６，６９を適宜屈曲させることにより、この屈曲変形によって眼鏡側部のデザインを変化させることができる。
【００５６】
(8) 前記蝶番部材１２は、図１５に示すように、先端部８３が開放状態にあるＵ字状バネ片９そのものに装着することもできる。
【００５７】
(9) 前記蝶番部材１２を構成する第１の蝶番片１５、第２の蝶番片１７、中間蝶番片１９は、眼鏡のデザインを考慮して各種に構成でき、各部のサイズは所要に設定される。
【００５８】
(10)前記Ｕ字状バネ片９は、図１６に示すようにテンプル７の先側部分に構成されてもよい。
【００５９】
(11)前記ヨロイ６が前記Ｕ字状バネ片９を具える場合、図１７（Ａ）（Ｂ）に示すように、該Ｕ字状バネ片９のＵ字の開放端８５が後方向（テンプル７が延長する方向）に向けて開放する如く該ヨロイ６が前記レンズ部３の外側部５に設けられることもある。該テンプル７は、図１７（Ｃ）に示すように、その先端部８６が該Ｕ字状バネ片９のＵ字の基部８７に当接して、その開き状態が規制される。
【００６０】
(12)図１８は、前記ヨロイ６が前記Ｕ字状バネ片９を具える場合において該ヨロイ６を前記レンズ部３の外側部５に設けた他の態様を示すものであり、前記第２の延長部６９のみが該外側部５にロウ付けされており、前記第２の延長部６９は該外側部５にロウ付けされていない。なお、該第２の延長部６９のみが該外側部５にロウ付けされてもよい。
【００６１】
前記テンプル７が前記Ｕ字状バネ片９を具える場合において、図１９に示すように、前記第１、第２の延長部６６，６９の内の一方（例えば第２の延長部６９）をテンプル本体８９の前端９０に連設することもある。
【００６２】
(13)前記中間蝶番片１９と、前記ヨロイ６又はテンプル７とは一体に設けられてもよい他、該中間蝶番片１９と該ヨロイ６、又は該中間蝶番片１９と該テンプル７とを別体とし、該中間蝶番片１９にヨロイ６又はテンプル７を後加工によって連結することとしてもよい。
【００６３】
(14)前記収容孔５１の前記底部５５は、前記コイルバネ５２の一端５３を受け得るものであればよく、該底部５５の中央部等に開口が設けられてもよい。
【００６４】
(15)本考案においてレンズ部３は、前記の他、レンズをリムで抱持してなるものであってもよく、レンズそのものであってもよい。
【符号の説明】
【００６５】
１  蝶番装置
２  眼鏡
３  レンズ部
５  外側部
６  ヨロイ
７  テンプル
９  Ｕ字状バネ片
１０  第１の直線状部
１１  第２の直線状部
１２  蝶番部材
１３  第１の挾持板
１５  第１の蝶番片
１６  第２の挾持板
１７  第２の蝶番片
１８  枢着孔
１９  中間蝶番片
２０  外面
２１  嵌合溝
２２  内面
２３  枢軸
２５  基部側部分
２６  先側部分
２７  第１の位置決め係合部
２９  外面
３０  嵌合溝
３１  内面
３３  内周面
３５  第２の位置決め係合部
３６  先端面
３７  底面
３９  間隙
４０  枢軸周辺部分
４１  一方の表面
４２  凹部周辺部分
４３  他方の表面
４５  底部
４６  第１の係合部
４９  内側面
５０  第２の係合部
５１  収容孔
５２  コイルバネ
５３  一端
５５  底部
５６  他端側部分
５７  開放端
６０  先端部分
６１  係合窪み部
６３  ヨロイ構成部材
７２  連結片
【図１】
0003195749.tif 000003
【図２】
0003195749.tif 000004
【図３】
0003195749.tif 000005
【図４】
0003195749.tif 000006
【図５】
0003195749.tif 000007
【図６】
0003195749.tif 000008
【図７】
0003195749.tif 000009
【図８】
0003195749.tif 000010
【図９】
0003195749.tif 000011
【図１０】
0003195749.tif 000012
【図１１】
0003195749.tif 000013
【図１２】
0003195749.tif 000014
【図１３】
0003195749.tif 000015
【図１４】
0003195749.tif 000016
【図１５】
0003195749.tif 000017
【図１６】
0003195749.tif 000018
【図１７】
0003195749.tif 000019
【図１８】
0003195749.tif 000020
【図１９】
0003195749.tif 000021
【図２０】
0003195749.tif 000022